(57)【要約】      （修正有）【課題】デジタル信号を記録する記録装置において、装置内部に記録されたデジタル信号を情報量を低下させて外部記録媒体に書き出す場合にも、装置内部のデジタル信号をそのままの情報量で保存しておくことを可能とする。【解決手段】デスクランブラＢ１７は、ＨＤＤ２１から番組データを読み出してデスクランブル処理を行う。スクランブラＣ１８はそのデジタルストリームデータに対して無効化処理を行う。無効化処理を施されたデジタルストリームデータは、ＨＤＤ２１に番組データとして上書きされる。無効化処理が施され上書きされた番組データは、その番組データが記録された記録メディア２５が挿入されていない場合には利用不可能となる。【選択図】図１
2005277493.tif 000002
【特許請求の範囲】
【請求項１】
映像データを含むデジタル信号を記憶する記憶部と、
前記記憶部からデジタル信号を読み出し、該デジタル信号に含まれる映像データに基づいて映像を再生する映像再生部と、
所定の外部記録媒体を接続するインタフェース部と、
前記記憶部からデジタル信号を読み出し、読み出した該デジタル信号を前記インタフェース部を介して前記外部記録媒体に記録する記録制御部と、
前記記録制御部がデジタル信号を前記外部記録媒体に記録すると、前記記憶部を制御して該デジタル信号に対応する前記記憶部に記憶されたデジタル信号の利用を制限する記憶制御部と、
を備える記録装置であって、
前記記憶制御部は、
前記記録制御部が前記記憶部から読み出したデジタル信号を該デジタル信号の情報量を低下させずに前記外部記録媒体に記録する場合には、該デジタル信号に対応する前記記憶部に記憶されているデジタル信号を消去し、
前記記録制御部が前記記憶部から読み出したデジタル信号を該デジタル信号の情報量を低下させて前記外部記録媒体に記録する場合には、該デジタル信号に対応する前記記憶部に記憶されているデジタル信号の利用を制限する、
ことを特徴とする記録装置。
【請求項２】
前記インタフェース部を介して当該記録装置に接続された外部記録媒体の記録内容を消去する要求を受け付ける要求受付部をさらに備え、
前記記録制御部は、前記要求受付部による受け付けに応じて、前記外部記録媒体に記録されたデジタル信号を消去し、
前記記憶制御部は、前記記録制御部が消去したデジタル信号に対応する前記記憶部に記憶されているデジタル信号の利用に関する制限を解除する、
ことを特徴とする請求項１に記載の記録装置。
【請求項３】
前記記憶制御部は、前記記録制御部が前記記憶部から読み出したデジタル信号を該デジタル信号の情報量を低下させて前記外部記録媒体に記録すると、該外部記録媒体が前記インタフェース部を介して当該記録装置に接続されている場合にのみ該デジタル信号に対応する前記記憶部に記憶されているデジタル信号の前記映像再生部による読み出し及び映像の再生を可能とするよう、前記記憶部に記憶されているデジタル信号の利用を制限する、
ことを特徴とする請求項１又は２に記載の記録装置。
【請求項４】
前記外部記録媒体は、該外部記録媒体に固有の識別情報を有しており、
前記記憶制御部は、前記記録制御部が前記記憶部から読み出したデジタル信号を該デジタル信号の情報量を低下させて前記外部記録媒体に記録すると、前記識別情報を用いて暗号鍵を生成し、該デジタル信号に対応する前記記憶部に記憶されているデジタル信号を前記暗号鍵を用いて暗号化し、該暗号化されたデジタル信号の利用を制限する、
ことを特徴とする請求項１、２又は３に記載の記録装置。
【請求項５】
前記記憶制御部は、情報量を低下させたデジタル信号の記録された外部記録媒体が前記インタフェース部を介して当該記録装置に接続され、前記識別情報に基づく暗号鍵を用いて暗号化が解除された場合にのみ前記映像再生部による読み出し及び映像の再生を可能とするよう、前記デジタル信号に対応する前記記憶部に記憶されているデジタル信号を暗号化する、
ことを特徴とする請求項４に記載の記録装置。
【請求項６】
前記記憶制御部は、前記外部記録媒体に固有の識別情報と、当該記録装置に固有の他の識別情報とを用いて暗号鍵を生成し、該暗号鍵を用いて前記記憶部に記憶されているデジタル信号を暗号化する、
ことを特徴とする請求項４又は５に記載の記録装置。
【請求項７】
映像データを含むデジタル信号を記憶するステップと、
前記記憶されたデジタル信号を読み出し、該デジタル信号に含まれる映像データに基づいて映像を再生するステップと、
当該記録装置と所定の外部記録媒体とを接続するステップと、
前記記憶されたデジタル信号を読み出し、読み出した該デジタル信号を前記外部記録媒体に記録するステップと、
デジタル信号を前記外部記録媒体に記録すると、該デジタル信号に対応する前記記憶されたデジタル信号の利用を制限するステップと、
を備える記録装置の記録方法であって、
前記記憶されたデジタル信号の利用を制限するステップは、
前記読み出したデジタル信号を該デジタル信号の情報量を低下させずに前記外部記録媒体に記録する場合には、該デジタル信号に対応する前記記憶されているデジタル信号を消去し、
前記読み出したデジタル信号を該デジタル信号の情報量を低下させて前記外部記録媒体に記録する場合には、該デジタル信号に対応する前記記憶されているデジタル信号の利用を制限する、
ことを特徴とする記録装置の記録方法。
【発明の詳細な説明】
【技術分野】
【０００１】
本発明は、デジタル信号を記録する記録装置に関し、特に装置内部に記憶されたデジタル信号を外部の記録媒体に記録する記録装置に関する。
【背景技術】
【０００２】
近年、映像の伝送に関するデジタル化 が世界的に進んでいる。日本でも通信衛星を利用したデジタル放送が開始され、それに対応した受信装置や録画装置が各家庭に普及しつつある。
【０００３】
デジタル放送によって伝送されるデジタル化された映像は、高画質な上に複製が容易であり、また、アナログ放送による映像と比較して複製の際の劣化が少ない。このため、複製された映像の不正な流出が問題となる。そこで、著作権保護の観点から、録画そのものを禁止する、あるいは録画可能回数に制限を設ける等の案が講じられてきた。こうした動きに対応して、番組を視聴する時間をずらす、いわゆる「タイムシフト」を目的とした録画のみを可能とする録画装置が考えられた（例えば、特許文献１）。こうした録画装置を用いることにより、ユーザはあくまで一個人として楽しむために、所望の番組を録画することができる。
【０００４】
一方、社団法人地上デジタル放送推進協会は、放送電波に「一回だけ録画可能」のコピー制御信号を加えて放送する仕組みを提案し、実用化に向けて動き出している。その際、Ｂ−ＣＡＳカード（登録商標）というコピー制御のためのカードを録画装置に挿入させ、カードなしには放送が視聴できないようにして、コピー制御の確実化を計っている。
【特許文献１】特開２００２−３０４８０６号公報
【発明の開示】
【発明が解決しようとする課題】
【０００５】
上述した特許文献１に開示されているデジタル録画装置による録画、あるいはコピー制御信号に従った録画では、一度だけ番組の録画が可能である反面、録画した番組データのコピー（ダビング）は厳しく制限される。したがって、例えば、一度ＨＤＤ（Hard Disc Drive）に録画した番組データを光ディスク等の記録メディアに書き出して利用したい場合、ＨＤＤ内の番組データが記録メディアに移動（ムーブ）され、それに伴ってＨＤＤ内の番組データは削除される。
【０００６】
このため、例えばＨＤＤに高画質で録画した番組データを低画質化する等、情報量を低下（ダウンコンバート）させて、一時的にメモリーカード等の記録メディアに書き出したい場合にも、ＨＤＤ内の番組データは削除されることとなり、メモリーカードから再びＨＤＤに番組データを移動する際には、情報量の低下した番組データがＨＤＤに記録されることになる。
【０００７】
本発明は、上記実状に鑑みて為されたものであり、デジタル信号を記録する記録装置において、装置内部に記録されたデジタル信号を情報量を低下させて外部記録媒体に書き出す場合にも、装置内部のデジタル信号をそのままの情報量で保存しておくことを可能とすることを目的とする。
【課題を解決するための手段】
【０００８】
上記目的を達成するため、本発明の第１の観点に係る記録装置は、
映像データを含むデジタル信号を記憶する記憶部と、
前記記憶部からデジタル信号を読み出し、該デジタル信号に含まれる映像データに基づいて映像を再生する映像再生部と、
所定の外部記録媒体を接続するインタフェース部と、
前記記憶部からデジタル信号を読み出し、読み出した該デジタル信号を前記インタフェース部を介して前記外部記録媒体に記録する記録制御部と、
前記記録制御部がデジタル信号を前記外部記録媒体に記録すると、前記記憶部を制御して該デジタル信号に対応する前記記憶部に記憶されたデジタル信号の利用を制限する記憶制御部と、
を備える記録装置であって、
前記記憶制御部は、
前記記録制御部が前記記憶部から読み出したデジタル信号を該デジタル信号の情報量を低下させずに前記外部記録媒体に記録する場合には、該デジタル信号に対応する前記記憶部に記憶されているデジタル信号を消去し、
前記記録制御部が前記記憶部から読み出したデジタル信号を該デジタル信号の情報量を低下させて前記外部記録媒体に記録する場合には、該デジタル信号に対応する前記記憶部に記憶されているデジタル信号の利用を制限する、
ことを特徴とする。
【０００９】
前記インタフェース部を介して当該記録装置に接続された外部記録媒体の記録内容を消去する要求を受け付ける要求受付部をさらに備え、
前記記録制御部は、前記要求受付部による受け付けに応じて、前記外部記録媒体に記録されたデジタル信号を消去し、
前記記憶制御部は、前記記録制御部が消去したデジタル信号に対応する前記記憶部に記憶されているデジタル信号の利用に関する制限を解除することが好ましい。
【００１０】
前記記憶制御部は、前記記録制御部が前記記憶部から読み出したデジタル信号を該デジタル信号の情報量を低下させて前記外部記録媒体に記録すると、該デジタル信号の記録された外部記録媒体が前記インタフェース部を介して当該記録装置に接続されている場合にのみ該デジタル信号に対応する前記記憶部に記憶されているデジタル信号の前記映像再生部による読み出し及び映像の再生を可能とするようデジタル信号の利用を制限することが好ましい。
【００１１】
前記外部記録媒体は、該外部記録媒体に固有の識別情報を有しており、
前記記憶制御部は、前記記録制御部が前記記憶部から読み出したデジタル信号を該デジタル信号の情報量を低下させて前記外部記録媒体に記録すると、前記識別情報を用いて暗号鍵を生成し、該デジタル信号に対応する前記記憶部に記憶されているデジタル信号を前記暗号鍵を用いて暗号化し、該暗号化されたデジタル信号の利用を制限することが好ましい。
【００１２】
前記記憶制御部は、情報量を低下させたデジタル信号の記録された外部記録媒体が前記インタフェース部を介して当該記録装置に接続され、前記識別情報に基づく暗号鍵を用いて暗号化が解除された場合にのみ前記映像再生部による読み出し及び映像の再生を可能とするよう、前記デジタル信号に対応する前記記憶部に記憶されているデジタル信号を暗号化することが好ましい。
【００１３】
前記記憶制御部は、前記外部記録媒体に固有の識別情報と、当該記録装置に固有の他の識別情報とを用いて暗号鍵を生成し、該暗号鍵を用いて前記記憶部に記憶されているデジタル信号を暗号化することが好ましい。
【００１４】
上記目的を達成するため、本発明の第２の観点に係る記録装置の記録方法は、
映像データを含むデジタル信号を記憶するステップと、
前記記憶されたデジタル信号を読み出し、該デジタル信号に含まれる映像データに基づいて映像を再生するステップと、
当該記録装置と所定の外部記録媒体とを接続するステップと、
前記記憶されたデジタル信号を読み出し、読み出した該デジタル信号を前記外部記録媒体に記録するステップと、
デジタル信号を前記外部記録媒体に記録すると、該デジタル信号に対応する前記記憶されたデジタル信号の利用を制限するステップと、
を備える記録装置の記録方法であって、
前記記憶されたデジタル信号の利用を制限するステップは、
前記読み出したデジタル信号を該デジタル信号の情報量を低下させずに前記外部記録媒体に記録する場合には、該デジタル信号に対応する前記記憶されているデジタル信号を消去し、
前記読み出したデジタル信号を該デジタル信号の情報量を低下させて前記外部記録媒体に記録する場合には、該デジタル信号に対応する前記記憶されているデジタル信号の利用を制限する、
ことを特徴とする。
【発明の効果】
【００１５】
本発明によれば、デジタル信号を記録する記録装置において、装置内部に記録されたデジタル信号の情報量を低下させて外部記録媒体に書き出す場合にも、装置内部のデジタル信号をそのまま情報量で保存しておくことが可能となる。
【発明を実施するための最良の形態】
【００１６】
本発明の実施形態に係る録画装置１は、図１に示すように、アンテナ１１と、チューナ・復調器１２と、デスクランブラＡ１３と、録画再生制御部１４と、映像・音声エンコーダ１５と、映像・音声デコーダ１６と、デスクランブラＢ１７と、スクランブラＣ１８と、コピー制御部１９と、スクランブラＤ２０と、ＨＤＤ２１と、コピー制御カード２２と、デバイス鍵２３と、メディアＩＦ２４と、記録メディア２５と、から構成される。
【００１７】
アンテナ１１は、デジタル放送局からのデジタル信号（放送電波信号）を受信する受信アンテナである。アンテナ１１は、デジタル信号を受信すると、受信した信号をチューナ・復調器１２に供給する。
【００１８】
尚、デジタル放送局からのデジタル信号には、番組データの録画回数を制御（制限）するためのコピー制御情報が含まれている。このコピー制御情報には、例えば、図２に示すように「制約条件なしに録画可能」「１回だけ録画可能」「録画禁止」等の種類がある。
【００１９】
チューナ・復調器１２は、アンテナ１１からデジタル信号を供給されると、リモートコントローラー等の選択入力装置（図示せず）を介してユーザによって選択された放送チャネルの情報に基づいて放送信号を選択し、復調やエラー補正を行ってデジタルストリームデータを生成する。
【００２０】
デスクランブラＡ１３及びデスクランブラＢ１７は、それぞれチューナ・復調器１２やＨＤＤ２１から供給されたデジタルストリームデータをデスクランブルするものである。
【００２１】
録画再生制御部１４は、デスクランブラＡ１３又はデスクランブラＢ１７から供給されたデスクランブル処理後のデジタルストリームデータから映像データや音声データを抽出する。そして、録画再生制御部１４は、ユーザからのリモートコントローラ等の選択入力装置（図示せず）を用いた指示に応じて、番組データの録画及び再生を行う。
【００２２】
映像・音声エンコーダ１５は、映像データおよび音声データ（以下、これらをまとめて映像・音声データと呼ぶ）をエンコード（圧縮・符号化）する。映像・音声デコーダ１６は、エンコードされた映像・音声データを視聴可能なデータとしてデコード（復号）する。
【００２３】
スクランブラＣ１８及びスクランブラＤ２０は、番組データにスクランブル処理を行い暗号化する。スクランブラＤ２０によるスクランブル処理は、ＣＰＲＭ（Content Protection for Recordable Media）等の技術を用いて行う。また、スクランブラＣ１８は、ＨＤＤ２１に記憶された番組データに対して、後述する「無効化処理」を行う。
【００２４】
ここで、無効化処理とは、ＨＤＤ２１内の番組データに対して、対応する番組データの記録された記録メディア２５がメディアＩＦ２４を介して録画装置１に挿入されている場合にのみ利用可能（挿入されていない場合には利用不可能）となるよう処理を施すものである。この無効化処理は、番組データが再コピー禁止（元のデジタル信号に１回だけ録画可能であることを示す信号が含まれている）であり、さらにその番組データの情報量を低下させて（ダウンコンバートして）記録メディア２５に書き出す場合にのみ行われる。
【００２５】
ダウンコンバートは、番組データの画質や音質を低下させる等することにより、元の番組データと比較して、データレートやファイルサイズを小さく抑えるために行われる。例えば、書き出したデータを携帯機器で視聴する場合などには、その機器の処理能力の制限や、記録メディア２５の容量の制限等から、フレームレートを落としたり、解像度を落とす等のダウンコンバートが必要な場合が多い。
【００２６】
記録メディア２５への書き出しには、上述したようにＨＤＤ２１から読み出した番組データをダウンコンバートして書き出す場合と、ダウンコンバートせずにそのまま書き出す場合とがある。本実施形態では、ＨＤＤ２１内の番組データをダウンコンバートせずに書き出す場合には、図３（ａ）に示すようにＨＤＤ２１に記憶されている番組データを消去し、ダウンコンバートして書き出す場合には、図３（ｂ）に示すようにＨＤＤ２１に記憶されている番組データを無効化する、といった処理を行う。
【００２７】
コピー制御部１９は、リモートコントローラ等の選択入力装置（図示せず）を介したユーザからの操作に従って、メディアＩＦ２４を介して記録メディア２５への番組データの書き込みおよび消去を行う。
【００２８】
ＨＤＤ２１は、所定の容量をもつ記憶装置であり、録画再生制御部１４の制御に従って、番組データを記録／保存する。
【００２９】
コピー制御カード２２は、Ｂ−ＣＡＳカード（登録商標）等の所定のＩＣカードであり、録画装置１に対して着脱可能に構成されている。このコピー制御カード２２が録画装置１の所定位置に挿入されることにより、デスクランブラＡ１３によるデジタルストリームデータのデスクランブルが可能となる。
【００３０】
デバイス鍵２３は、録画装置１に固有の秘密キーであり、後述する「無効化処理」の際に暗号鍵を生成するために用いられるものである。
【００３１】
メディアＩＦ２４は、録画装置１と記録メディア２５とを媒介するインタフェースであり、コピー制御部１９の制御に従って、記録メディア２５への番組データの書き込みや消去を行う。
【００３２】
記録メディア２５は、ＳＤ（Secure Digital）メモリカード等の、ＣＰＲＭに対応した記録媒体であり、録画装置１に対して着脱可能に構成されている。本実施形態では、記録メディア２５は、図４に示すように、書き込み不可領域Ｕと読み書き可能領域Ｒとから構成されている。読み書き可能領域Ｒはユーザデータ領域Ｄから構成され、ユーザによるデータの読み書きは、この領域に対して行われる。また、書き込み不可領域Ｕは、保護領域Ｈとシステム領域Ｓとから構成され、ユーザデータ領域Ｄに対する通常のアクセスではこれらの領域は読み書きできないように設計されている。保護領域ＨにはメディアＩＤという記録メディア２５に固有のデータが記憶されており、後述する「暗号鍵」の生成の際に用いられる。システム領域Ｓには、ＭＫＢ（Media Key Block）と呼ばれる鍵束が記憶されており、ＣＰＲＭで高度な著作権保護を実現するために使用される。
【００３３】
次に、本実施形態に係る録画装置１の動作について説明する。まず、受信したデジタル放送データをそのまま出力する際の録画装置１の動作、すなわち視聴者が番組をリアルタイムで視聴する際の録画装置１の動作について、図５のフローチャートを参照して説明する。
【００３４】
アンテナ１１は、デジタル放送局から放送電波を受信すると（ステップＳ１０１）、受信した放送電波をチューナ・復調器１２に供給する。チューナ・復調器１２は、リモートコントローラー等の選択入力装置（図示せず）を介して入力されたユーザからの所望のチャネルの選択に基づいて、受信した放送電波に含まれる複数の放送局からの放送信号のうちのひとつを選択する（ステップＳ１０２）。さらに、チューナ・復調器１２は、選択した放送信号に対して復調およびエラー補正を行って（ステップＳ１０３）、デジタルストリームデータを生成し、デスクランブラＡ１３に供給する。
【００３５】
デスクランブラＡ１３は、デジタルストリームデータから、多重化された制御信号を抽出する（ステップＳ１０４）。そして、デスクランブラＡ１３は、抽出した制御信号をコピー制御カード２２に供給し、スクランブル及びデスクランブルに必要なスクランブル鍵を取得する（ステップＳ１０５）。デスクランブラＡ１３は、取得したスクランブル鍵を用いて、デジタルストリームデータのデスクランブル処理を行い（ステップＳ１０６）、デスクランブルされたデジタルストリームデータを録画再生制御部１４に供給する。
【００３６】
録画再生制御部１４は、デジタルストリームデータから映像・音声データを抽出し（ステップＳ１０７）、映像・音声デコーダ１６に供給する。映像・音声デコーダ１６は、供給された映像・音声データをデコードし（ステップＳ１０８）、所定のテレビ受信機に出力する（ステップＳ１０９）。
【００３７】
以上のような処理により、デジタル放送の受信および出力が行われる。次に、受信したデジタル放送データを録画する際の録画装置１の動作について、図６のフローチャートを参照して説明する。尚、ステップＳ２０１〜２０６の処理動作については、受信映像出力動作における図５のフローチャートのステップＳ１０１〜１０６のものと共通するため、ここでの説明は省略する。
【００３８】
録画再生制御部１４は、リモートコントローラー等の選択入力装置（図示せず）を介して、ユーザからの録画に関する指示を受け付ける（ステップＳ２０７）。録画の指示を受け付けると、録画再生制御部１４は、デジタルストリームデータに含まれるコピー制御情報を取得する（ステップＳ２０８）。録画再生制御部１４は、取得したコピー制御情報が録画可能であることを示しているか否かを判別する（ステップＳ２０９）。コピー制御情報が「録画不可能」であることを示していると判別すると（ステップＳ２０９：Ｎｏ）、録画再生制御部１４は、録画を行わずに、そのまま処理を終了する。コピー制御情報が「制約条件なしに録画可能」もしくは「１回だけ録画可能」であることを示していると判別すると（ステップＳ２０９：Ｙｅｓ）、録画再生制御部１４はデジタルストリームデータをスクランブラＣ１８に供給する。
【００３９】
スクランブラＣ１８は、録画再生制御部１４から供給されたデジタルストリームデータにスクランブル処理を行い（ステップＳ２１０）、スクランブル処理されたデジタルストリームデータをＨＤＤ２１に供給する。ＨＤＤ２１は、供給されたデータを自己の記録領域に書き込む（ステップＳ２１１）。
【００４０】
以上のような処理動作により、録画が行われる。次に、録画した番組データを再生する処理動作について図７のフローチャートを参照して説明する。
【００４１】
まず、デスクランブラＢ１７は、ＨＤＤ２１から録画された番組データ（デジタルストリームデータ）を読み出し（ステップＳ３０１）、デスクランブル処理を行う（ステップＳ３０２）。そして、デスクランブラＢ１７は、デスクランブル処理後のデジタルストリームデータを録画再生制御部１４に供給する。
【００４２】
録画再生制御部１４は、デジタルストリームデータから映像・音声データを抽出し（ステップＳ３０３）、映像・音声デコーダ１６に供給する。映像・音声デコーダ１６は、映像・音声データを復号する（ステップＳ３０４）。そして、映像・音声デコーダ１６は、復号した映像・音声データを所定のテレビ受信機に出力する（ステップＳ３０５）。
【００４３】
以上のような処理動作により、録画された番組データの再生が行われる。次に、録画した番組データの記録メディア２５への書き出しの処理動作について、図８のフローチャートを参照して説明する。尚、上述したように、番組データの記録メディア２５への書き出しには、読み出した番組データをそのまま書き出す場合と、ダウンコンバートして書き出す場合とがある。ここで、ダウンコンバートは、一度復号した番組データを、データのサイズを小さくして再符号化することにより、行われる。また、このフローでのステップＳ４０１〜４０２の動作は、録画再生動作における図７のフローチャートのステップＳ３０１〜３０２と共通するため、ここでの説明は省略する。
【００４４】
録画再生制御部１４は、デジタルストリームデータに含まれるコピー制御信号を取得し、それが「再コピー禁止」の情報を含んでいるか否か（コピー制御情報が図２における「１回だけ録画可能」を示すものか否か）を判別する（ステップＳ４０３）。再コピーが禁止でないと判別すると（ステップＳ４０３：Ｎｏ）、処理は後述するステップＳ４０７にジャンプする。一方、再コピーが禁止されていると判別すると（ステップＳ４０３：Ｙｅｓ）、録画制御部１４は記録メディア２５への書き出しが、番組データのダウンコンバート行った上で為されるものか否かを判別する（ステップＳ４０４）。
【００４５】
ダウンコンバートしないと判別すると（ステップＳ４０４：Ｎｏ）、録画再生制御部１４はＨＤＤ２１内の番組データを消去し（ステップＳ４０５）、後述するステップＳ４０７に進む。
【００４６】
一方、ダウンコンバートして書き出すと判別すると（ステップＳ４０４：Ｙｅｓ）、録画再生制御部１４は、デジタルストリームデータをスクランブラＣ１８に供給する。そして、スクランブラＣ１８は、記録メディア２５に番組データを書き出す際にＨＤＤ２１内の番組データを一時的に無効化するための「無効化処理」を行う（ステップＳ５００）。尚、この無効化処理の詳細な処理動作は、図９のフローチャートを参照して後述する。
【００４７】
スクランブラＣ１８は、無効化処理を施した後の番組データをＨＤＤ２１に供給し、無効化処理を施す前に記録しておいた番組データに上書きする（ステップＳ４０６）。
【００４８】
録画制御部１４は、デジタルストリームデータから映像・音声データを抽出し（ステップＳ４０７）、映像・音声デコーダ１６に供給する。映像・音声デコーダ１６は、供給された映像・音声データを復号し（ステップＳ４０８）、映像・音声エンコーダ１５に供給する。
【００４９】
映像・音声エンコーダ１５は、供給された映像・音声データを圧縮・符号化し（ステップＳ４０９）、スクランブラＤ２０に供給する。スクランブラＤ２０は、供給された映像・音声データに対してスクランブル処理を行い（ステップＳ４１０）、メディアＩＦ２４に供給する。メディアＩＦ２４は、スクランブル処理された映像・音声データを記録メディア２５に書き込む（ステップＳ４１１）。
【００５０】
以上のような処理動作により、記録メディアへの書き出しが行われる。この処理によれば、番組データをそのまま（ダウンコンバートせずに）記録メディア２５に書き出す際にはＨＤＤ２１内の番組データは消去され、番組データをダウンコンバートして書き出す際にはＨＤＤ２１内の番組データは無効化（一時的に利用不可能な状態に）されることになる。次に、図８のステップＳ５００における無効化処理の処理動作について、図９のフローチャートを参照して説明する。
【００５１】
まず、コピー制御部１９は、メディアＩＦ２４に接続されている記録メディア２５から、その記録メディア２５に固有のメディアＩＤを読み出す（ステップＳ５０１）。また、コピー制御部１９は、録画装置１に固有の秘匿キーであるデバイス鍵２３を読み出す（ステップＳ５０２）。
【００５２】
コピー制御部１９は、読み出したメディアＩＤとデバイス鍵２３とを用いて、録画データの暗号化に用いるための暗号鍵を生成する（ステップＳ５０３）。ここで、暗号鍵の生成は、例えば、図１０に示すような方法で行われる。図示するように、まず、コピー制御部２０は、メディアＩＤとデバイス鍵２３とを、それぞれ所定の一方向関数を用いて変換する。次に、この変換結果に基づいて排他的論理和演算を行い、さらに一方向関数を用いて演算結果を変換して、暗号鍵を生成する。尚、ここで生成した暗号鍵は、無効化処理を完了した時点で破棄し、例えば録画装置１の内部に保存するようなことは行わない。
【００５３】
コピー制御部１９は、ステップＳ５０３で生成した暗号鍵をスクランブラＣ１８に供給する。スクランブラＣ１８は、供給された暗号鍵を用い、ＤＥＳ（Data Encryption Standard）暗号等の所定のアルゴリズムに基づいて、ＨＤＤ２１に記録された番組データ（録画データ）を暗号化する（ステップＳ５０４）。
【００５４】
以上のような処理動作により、番組データの無効化処理が行われる。次に、記録メディア２５に記録された番組データを削除して、ＨＤＤ２１内の番組データの無効化を解除する処理動作について、図１１のフローチャートを参照して説明する。
【００５５】
コピー制御部１９は、リモートコントローラー等の選択入力装置（図示せず）を介して、ユーザから記録メディア２５内の番組データを削除する要求を受け付ける（ステップＳ６０１）。コピー制御部１９は、要求に基づいて、メディアＩＦ２４を介して記録メディア２５にアクセスし、指定されたファイルの消去を行う（ステップＳ６０２）。
【００５６】
コピー制御部１９は、メディアＩＦ２４を介して記録メディア２５からメディアＩＤを読み出し（ステップＳ６０３）、続いて録画装置１に固有のデバイス鍵２３を読み出す（ステップＳ６０４）。そして、コピー制御部１９は、読み出したメディアＩＤとデバイス鍵２３とを用いて暗号鍵を生成し（ステップＳ６０５）、デスクランブラＢ１７に供給する。
【００５７】
デスクランブラＢ１７は、前述の無効化処理によって無効化された、該当する番組データをＨＤＤ２１から読み出し（ステップＳ６０６）、暗号鍵を用いてデスクランブル処理を行う（ステップＳ６０７）。
【００５８】
デスクランブラＢ１７は、デスクランブル処理された番組データを、スクランブラＣ１８に供給する。また、コピー制御部１９はデバイス鍵２３を使用して生成した暗号鍵をスクランブラＣ１８に供給する。スクランブラＣ１８は、この暗号鍵を用いて番組データのスクランブル処理を行う（ステップＳ６０８）。これにより、無効化の解除が行われる。スクランブラＣ１８は、無効化の解除された番組データをＨＤＤ２１に供給し、該当する領域に上書きする（ステップＳ６０９）。
【００５９】
以上のような処理動作により、無効化の解除および記録メディア２５内の番組データの消去が行われる。
【００６０】
以上、説明したように、本実施形態に係る録画装置１は、ＨＤＤ２１に記憶された番組データを記録メディア２５にダウンコンバートして書き出す際、ＨＤＤ２１内の番組データを一時的に利用不可能な状態に（無効化）する。この無効化されたＨＤＤ２１内の番組データは、記録メディア２５が録画装置１の本体に挿入された状態にある場合にのみ、利用可能となる。そして、記録メディア２５に記録された番組データを消去すると、ＨＤＤ２１内の番組データを再び無条件で利用可能に（無効化を解除）する。
【００６１】
したがって、番組データをいったん低画質化して外部の記録媒体に書き出す場合でも、ＨＤＤ２１内の番組データを高画質のまま保存することができる。また、書き出した番組データを外部で利用する際には、ＨＤＤ２１内の番組データを利用不可能とすることにより、録画されたデータの不正な流通を防ぐことができる。
【００６２】
また、番組データを無効化する際の暗号鍵の生成には、記録メディア２５に固有なメディアＩＤと録画装置１に固有なデバイス鍵との双方を用いるものとした。これにより、例えば、ＨＤＤ２１をＰＣ（Personal Computer）等に接続して番組データを複製しても、デバイス鍵とメディアＩＤがないために暗号鍵を生成することができない。このため、複製した番組データを利用することができず、したがって番組データの不正な複製が防止されることになる。
【００６３】
尚、本発明は上記実施形態で示したものに限られず、様々な変形及び応用が可能である。例えば、上記実施形態では、メディアＩＤとデバイス鍵２３とをそれぞれ一方向関数により変換し、それらを排他的論理和したものをさらに一方向関数により変換して、暗号鍵を生成した。しかし、暗号鍵の生成方法はこれに限定されるものではなく、メディアＩＤとデバイス鍵２３との双方が揃うことにより、ＨＤＤ２１内の番組データの無効化および無効化解除が行えるものであればよい。
【００６４】
また、上記実施形態で示した録画装置１の構成は一例にすぎず、記録メディアへの書き出し処理、無効化処理、無効化解除処理等の各処理を行うよう構成されていればよい。また、上記実施形態では、記録メディア２５の例としてＳＤメモリカードを示したが、その他、メディアに固有なＩＤを持つ記録メディアを用いることにより、本発明を実現することが可能である。
【図面の簡単な説明】
【００６５】
【図１】本発明の実施形態に係る録画装置の構成を示す図である。
【図２】デジタル信号に含まれるコピー制御情報の例を示す図である。
【図３】番組データを記録メディアに書き出す際、ダウンコンバートせずに書き出す場合とダウンコンバートして書き出す場合の例を模式的に示す図である。
【図４】図１の記録メディアの構造を示す図である。
【図５】図１の録画装置が行う受信映像出力処理の内容を示すフローチャートである。
【図６】図１の録画装置が行う録画処理の内容を示すフローチャートである。
【図７】図１の録画装置が行う録画データ再生処理の内容を示すフローチャートである。
【図８】図１の録画装置が行う記録メディアへの書き出し処理の内容を示すフローチャートである。
【図９】図１の録画装置が行う無効化処理の内容を示すフローチャートである。
【図１０】図９の無効化処理の際に必要となる暗号鍵を作成するための作成方法を説明する図である。
【図１１】図１の録画装置が行う無効化解除処理の内容を示すフローチャートである。
【符号の説明】
【００６６】
１・・・録画装置、１１・・・アンテナ、１２・・・チューナ・復調器、１３・・・デスクランブラＡ、１４・・・録画再生制御部、１５・・・映像・音声エンコーダ、１６・・・映像・音声デコーダ、１７・・・デスクランブラＢ１７、１８・・・スクランブラＣ１８、１９・・・コピー制御部、２０・・・スクランブラＤ２０、２１・・・ＨＤＤ、２２・・・コピー制御カード、２３・・・デバイス鍵、２４・・・メディアＩＦ、２５・・・記録メディア
【図１】
2005277493.tif 000003
【図２】
2005277493.tif 000004
【図３】
2005277493.tif 000005
【図４】
2005277493.tif 000006
【図５】
2005277493.tif 000007
【図６】
2005277493.tif 000008
【図７】
2005277493.tif 000009
【図８】
2005277493.tif 000010
【図９】
2005277493.tif 000011
【図１０】
2005277493.tif 000012
【図１１】
2005277493.tif 000013